(57)【特許請求の範囲】
【請求項１】
口腔内において露出する表面を有する複数のアバットメント３と、下記に記載の係合ピースを複数有し前記アバットメント３に着脱可能に装着される入れ歯１とを備えた義歯システムであって、
前記入れ歯１は、歯肉４０に接する樹脂製の義歯床１０の本体部１２と、前記義歯床１０の本体部１２に支持された人工歯１１と、ナイロン系の熱可塑性樹脂製で前記義歯床１０と一体となって前記複数アバットメント３の各々に前記義歯床１０の本体部１２を係合させるための前記複数の係合ピース１３Ｐとを備え、前記複数係合ピース１３Ｐの各係合ピース１３Ｐは、
前記各アバットメント３のトップ３ｔの全面を覆い、かつ、前記義歯床１０の本体部１２に覆われるフタ部１３ｃと、
前記フタ部１３ｃから上下方向Ｚに延び前記入れ歯１の脱着時に上下方向Ｚの端部１３ａを中心に弾性変形して拡開し着用中に前記各アバットメント３に係合し、かつ、互いに周方向に離間した複数の係合片部１３と、前記係合片部１３は前記アバットメント３の外周面に接する第１面３１と、前記第１面３１の反対側の第２面３２とを有し、前記係合片部１３の第１面３１は前記各アバットメント３の前記外周面に着脱自在に嵌合するための嵌合孔１４を定義しており、
前記係合片部１３の第２面３２よりも前記アバットメント３の軸線３Ｌから離れた位置に配置された第３面３３を有し、前記フタ部１３ｃの周縁から上下方向Ｚに延びて前記係合片部１３との間で筒状の部材を挟むための外部１３ｒとを備え、前記外部１３ｒは前記義歯床１０の本体部１２に結合され、
前記第１面３１から前記第２面３２に向かう方向に前記係合片部１３が弾性変形して拡開するのを許容する許容部１５が前記第２面３２と前記外部１３ｒの前記第３面３３との間で定義され、
前記フタ部１３ｃは前記係合片部１３で定義される前記嵌合孔１４の上下方向Ｚの一端および前記許容部１５の上下方向Ｚの一端を閉塞しており、
前記各係合ピース１３Ｐは前記フタ部１３ｃ、前記係合片部１３および前記外部１３ｒが一体に形成されており、
前記フタ部１３ｃにおける前記アバットメント３のトップ３ｔの外周縁に相当する部位には、前記係合片部１３の内側において前記アバットメント３に向かって突出する、複数のクッション部１６又は円弧状の複数のクッション部１６又は円環状のクッション部１６が一体に形成されている義歯システム。
【請求項２】
下記の係合ピースおよび抑制部材Ｒを用いて入れ歯を作成する方法であって、
口腔内において露出する表面を有するアバットメント３に着脱可能に装着される前記入れ歯１は、歯肉４０に接する樹脂製の義歯床１０の本体部１２と、前記義歯床１０の本体部１２に支持された人工歯１１と、ナイロン系の熱可塑性樹脂製で前記義歯床１０の一部を形成し前記アバットメント３に前記義歯床１０の本体部１２を係合させるための前記係合ピース１３Ｐとを備え、前記係合ピース１３Ｐは、
前記アバットメント３のトップ３ｔの全面を覆い、かつ、前記義歯床１０の本体部１２に覆われるフタ部１３ｃと、
前記フタ部１３ｃから上下方向Ｚに延び前記入れ歯１の脱着時に上下方向Ｚの端部１３ａを中心に弾性変形して拡開し着用中に前記アバットメント３に係合し、かつ、互いに周方向に離間した複数の係合片部１３と、前記係合片部１３は前記アバットメント３の外周面に接する第１面３１と、前記第１面３１の反対側の第２面３２とを有し、前記係合片部１３の第１面３１は前記アバットメント３の前記外周面に着脱自在に嵌合するための嵌合孔１４を定義しており、
前記係合片部１３の第２面３２よりも前記アバットメント３の軸線３Ｌから離れた位置に配置された第３面３３を有し、前記フタ部１３ｃの周縁から上下方向Ｚに延びて前記係合片部１３との間で筒状の部材を挟むための外部１３ｒとを備え、前記外部１３ｒは前記義歯床１０の本体部１２に結合され、
前記第１面３１から前記第２面３２に向かう方向に前記係合片部１３が弾性変形して拡開するのを許容する許容部１５が前記第２面３２と前記外部１３ｒの前記第３面３３との間で定義され、
前記フタ部１３ｃは前記係合片部１３で定義される前記嵌合孔１４の上下方向Ｚの一端および前記許容部１５の上下方向Ｚの一端を閉塞しており、
前記係合ピース１３Ｐは前記フタ部１３ｃ、前記係合片部１３および前記外部１３ｒが一体に形成されており、
前記抑制部材Ｒは、前記許容部１５に挿入されて前記義歯床１０の本体部１２の成型時に中子となって、前記外部１３ｒが前記義歯床１０の本体部１２の成型時に前記係合片部１３に向かって変形するのを防止し、
前記係合ピース１３Ｐが埋設され、かつ、口腔組織４の形状に対応する凹所５００を持つ雌の樹脂型５４を生成する工程と、
前記係合ピース１３Ｐの前記許容部１５に前記抑制部材Ｒを挿入する工程と、
前記抑制部材Ｒの挿入後に、前記雌の樹脂型５４の前記凹所５００に石膏を流し込んで、前記石膏に前記抑制部材Ｒ及び前記係合ピース１３Ｐが一体の雄のセッコウ型５６を生成する工程と、
前記雄のセッコウ型５６のまわりに溶融樹脂を供給して、前記係合ピース１３Ｐに前記義歯床１０の本体部１２が一体となった義歯床１０を生成する工程と、
前記雄のセッコウ型５６および抑制部材Ｒを除去する工程とを備える入れ歯の作成方法。
【発明の詳細な説明】
【技術分野】
【０００１】
本発明は義歯システムおよび入れ歯に関する。
【背景技術】
【０００２】
近年、いわゆるインプラントと呼ばれる義歯システムにおいては、１本又は複数本のフィクスチャー（インプラント体）と、前記フィクスチャーの数よりも多い人工歯を有する構造が採用され初めている。かかるシステムにおいてはフィクスチャーの数を減らすことができ患者の肉体的、経済的な負担を軽減することができる。【０００３】
一方、この種のシステムにおいては、フィクスチャーに固定したアバットメントに、義歯床および人工歯からなる入れ歯が着脱自在に装着される。（特許文献１）
【先行技術文献】
【特許文献】
【０００４】
【特許文献１】ＪＰ２００６−５１２１７９（要約）
【発明の概要】
【０００５】
しかし、従来の技術においては、たとえば、型取りして成型した半製品（未完成）の入れ歯をアバットメントに装着した状態で、義歯床となる部位に樹脂を充填して入れ歯を完成する工程が必要である。かかる工程は患者および歯科医師の肉体的・時間的な負担やコストの増大する要因となる。
【０００６】
かかる課題について詳しく説明する。
口腔の型取りをする際の印象材や、前記印象材から生成される雄型の材料である石膏は、硬化時の収縮が極めて小さい。一方、従来、アバットメントに装着されるホックはアバットメントに対し、隙間なく固く嵌っている。
したがって、前記各材料の収縮が小さくても、複数の互いに離れたアバットメントに対しホックが外力を与えるのは避けられないだろう。かかる外力は着用感が低下する原因になる上、フィクスチャーに負荷を与えるかもしれない。
そのため、前述のように、従来は口腔内に設置したアバットメントに入れ歯の半製品を装着した状態で義歯床となる樹脂を前記半製品に充填している。
【０００７】
そこで、本出願人は患者や歯科医師の肉体的・時間的な負担やコストを軽減することを目的として、可動する係合片部を有する義歯システムについて以下の出願を行っている。
ＷＯ  ２０１２／１３２０５７  Ａ１
ＪＰ  ５１００９１８  Ｂ２
ＷＯ  ２０１２／１３２８１９  Ａ１
これらの出願に開示された発明においては、前記義歯床を患者に装着した状態で金属ピースを前記義歯床に固定する工程が不必要になる。そのため、患者や歯科医師の肉体的・時間的な負担が軽減される。
しかし、１つの入れ歯ごとに２〜４箇所のアバットメントに係合する複数の係合片部を形成し、更に、当該係合片部の可動域を確保する溝を形成する必要がある。したがって、歯科技工師による入れ歯の形成に手間が掛かる。また、要部である係合片部の仕上がり状態が技工師ごとにバラツキが生じ易い。
したがって、本発明の目的は患者や歯科医師の肉体的・時間的な負担やコストを軽減すると共に、歯科技工師による入れ歯の形成を簡便にすると共に、係合片部の仕上がり状態にバラツキの生じにくい義歯システムを提供することである。
【０００８】
本発明の係合ピースは、口腔内において露出する表面を有するアバットメント３と、前記アバットメント３に着脱可能に装着される入れ歯１とを備えた義歯システムに用いる係合ピースであって、
前記入れ歯１は、歯肉４０に接する樹脂製の義歯床１０の本体部１２と、前記義歯床１０の本体部１２に支持された人工歯１１と、ナイロン系の熱可塑性樹脂製で前記義歯床１０の一部を形成し前記アバットメント３に前記義歯床１０の本体部１２を係合させるための前記係合ピース１３Ｐとを備え、前記係合ピース１３Ｐは、
前記アバットメント３のトップ３ｔの全面を覆い、かつ、前記義歯床１０の本体部１２に覆われるフタ部１３ｃと、
前記フタ部１３ｃから上下方向Ｚに延び前記入れ歯１の脱着時に上下方向Ｚの端部１３ａを中心に弾性変形して拡開し着用中に前記アバットメント３に係合し、かつ、互いに周方向に離間した複数の係合片部１３と、前記係合片部１３は前記アバットメント３の外周面に接する第１面３１と、前記第１面３１の反対側の第２面３２とを有し、前記係合片部１３の第１面３１は前記アバットメント３の前記外周面に着脱自在に嵌合するための嵌合孔１４を定義しており、
前記係合片部１３の第２面３２よりも前記アバットメント３の軸線３Ｌから離れた位置に配置された第３面３３を有し、前記フタ部１３ｃの周縁から上下方向Ｚに延びて前記係合片部１３との間で筒状の部材を挟むための外部１３ｒとを備え、前記外部１３ｒは前記義歯床１０の本体部１２に結合され、
前記第１面３１から前記第２面３２に向かう方向に前記係合片部１３が弾性変形して拡開するのを許容する許容部１５が前記第２面３２と前記外部１３ｒの前記第３面３３との間で定義され、
前記フタ部１３ｃは前記係合片部１３で定義される前記嵌合孔１４の上下方向Ｚの一端および前記許容部１５の上下方向Ｚの一端を閉塞している。
なお、「トップ」とは英語の“ｔｏｐ”を意味し、上下を問題としない頂部（ｔｏｐ）のことである。
【０００９】
本発明においては、前記複数の係合片部１３で形成した嵌合孔１４にアバットメント３が嵌り込み、入れ歯１全体がアバットメント３に対して着脱可能になる。
また、ナイロン系の樹脂製の係合片部１３で嵌合孔１４が形成されており、係合片部１３の弾性変形により、アバットメント３に対する嵌合孔１４の位置の高い精度を必要としない。
【００１０】
すなわち、嵌合孔１４の位置がアバットメント３に対し若干ズレが生じても、ナイロン系の樹脂からなる係合片部１３が端部１３ａを中心に回転するように弾性変形して、入れ歯１の着用感が向上する。また、前記ズレによるフィクスチャー２に発生する外力も著しく小さくなるだろう。
【００１１】
前記義歯床を患者に装着した状態で金属ピースを前記義歯床に固定する工程が不必要になる。そのため、患者や歯科医師の肉体的・時間的な負担が軽減される。
【００１２】
本発明においては、前記係合片部を含む係合ピースがナイロン系の熱可塑性樹脂（ポリアミド）で形成されている。前記ポリアミド樹脂は、応力に対する伸びが大きく、弾性変形し易い。そのため、前記着用感が良い。なお、かかるポリアミドとしては、エムス社のＴＲ９０を用いることができる。
本発明においては、前記ナイロン製やその他の樹脂製の前記義歯床１０に加え、いわゆる金属床を有していてもよい。前記金属床は、例えば、金合金、コバルトクロムまたはチタンなどの金属や合金で形成され、前記義歯床１０の内表面や内部に配置され前記義歯床１０を補強したり、複数の義歯床１０の間を連結して補強したりするものである。
また、本発明においては前記ナイロン製の係合ピース１３Ｐや義歯床１０の本体部１２内にガラスファイバーや金属などからなる補強材が添加されていてもよく、例えば、義歯床１０の本体部１２はＦＲＰで形成されていてもよい。
【００１３】
特に、本係合ピース１３Ｐを金型を用いてインジェクションでロット生産すれば、複数の係合片部１３や係合片部１３と係合片部１３との間のスリット１３ｓを技工師がその都度作成する必要がない。
また、本係合ピース１３Ｐはアバットメント３に係合する係合片部１３を複数有しているだけでなく、前記係合片部１３の外周囲に外部１３ｒが設けられて、前記係合片部１３と外部１３ｒの間で溝状の許容部１５が形成され、更に、フタ部１３ｃが嵌合孔１４および溝状の許容部１５の上下方向Ｚの一方を閉塞する。
したがって、技工師は義歯床１０の成型時に許容部１５を形成するのが容易になる。
【００１４】
好ましくは、前記係合ピース１３Ｐの外部１３ｒは前記フタ部１３ｃの外周縁から上下方向Ｚに延びる円筒状に形成されており、前記円筒状の外部１３ｒの内周面が前記第３面３３を定義する。この場合、許容部１５の形成がより一層容易になる。
【００１５】
このようなことから、歯科技工師による入れ歯の形成が簡便でコストが安くなると共に、係合片部等の仕上がり状態にバラツキが生じにくい。
【００１６】
ところで、樹脂自体は無色透明であり、歯茎に似た色合いを得るために、入れ歯の義歯床１０に用いる樹脂には必ず顔料が添加されていた。しかし、人体に対する安全上、前記顔料はＦｅ２Ｏ３やＴｉＯ２などの金属酸化物の微粉末等に限定されており、ミクロ的には表面が粗いものである。
かかる表面の粗い微粉末は係合片部１３が変形する際に係合片部１３の樹脂材料をミクロ的に傷付けるであろう。したがって、前記顔料の添加量を従来添加されていた０．１０重量％〜０．２０重量％としたのでは、入れ歯１が毎日脱着されるのに伴い、樹脂が顔料で繰り返し傷付けられて、係合片部１３の強度が劣化するかもしれない。この劣化が著しくなると、係合片部１３の弾性が失われたり、破損の原因になるかもしれない。
【００１７】
したがって、本発明の別の係合ピースは、口腔内において露出する表面を有するアバットメント３と、前記アバットメント３に着脱可能に装着される入れ歯１とを備えた義歯システムに用いる係合ピースであって、
前記入れ歯１は、歯肉４０に接する樹脂製の義歯床１０の本体部１２と、前記義歯床１０の本体部１２に支持された人工歯１１と、ナイロン系の熱可塑性樹脂製で前記義歯床１０の一部を形成し前記アバットメント３に前記義歯床１０の本体部１２を係合させるための前記係合ピース１３Ｐとを備え、前記係合ピース１３Ｐは、
前記アバットメント３のトップ３ｔの全面を覆い、かつ、前記義歯床１０の本体部１２に覆われるフタ部１３ｃと、
前記フタ部１３ｃから上下方向Ｚに延び前記入れ歯１の脱着時に上下方向Ｚの端部１３ａを中心に弾性変形して拡開し着用中に前記アバットメント３に係合し、かつ、互いに周方向に離間した複数の係合片部１３とを備え、前記係合片部１３は前記アバットメント３の外周面に接する第１面３１と、前記第１面３１の反対側の第２面３２とを有し、前記係合片部１３の第１面３１は前記アバットメント３の前記外周面に着脱自在に嵌合するための嵌合孔１４を定義しており、
前記係合ピース１３Ｐを形成する樹脂に対する顔料の割合が０重量％〜０．０７重量％に設定されている。
【００１８】
係合ピース１３Ｐに全く顔料を入れない場合、係合片部１３は最も優れた耐久性を呈するであろう。一方、義歯床１０の風合いを重視する場合、微量の顔料を入れるのが好ましい。
かかる観点から、係合ピース１３Ｐを形成する樹脂（ナイロン）に対する顔料の割合は、０重量％〜０．０５重量％が好ましく、０重量％〜０．０３重量％が最も好ましい。
なお、係合ピース１３Ｐを形成するナイロンに顔料を添加しなくても、義歯床１０の本体部１２の樹脂に顔料を添加することで、風合いの劣化を抑制できる。
【００１９】
この場合、好ましくは、前記係合ピース１３Ｐを形成する樹脂に含有される顔料の割合が、前記義歯床１０の本体部１２を形成する樹脂に含有される顔料の割合よりも小さい。
【００２０】
この場合、係合ピース１３Ｐの大きな強度と義歯床１０の風合いの双方が優れたものとなる。
【図面の簡単な説明】
【００２１】
【図１】図１Ａは入れ歯を口腔から取り外した状態で本システムの実施例を示す正面図、図１Ｂは義歯床の平面断面図、図１Ｃは同入れ歯を口腔に装着した状態で同実施例を示す平面図である。
【図２】図２は４本のアバットメントが装着された状態の無歯顎の下顎の模型を示す斜視図である。
【図３】図３は同実施例の入れ歯を装着した状態を示す横断面図である。
【図４】図４Ａは係合ピースの平面図、図４Ｂはアバットメントの平面図、図４Ｃは係合ピースおよびアバットメントを示す一部断面した正面図である。
【図５】図５Ａおよび図５Ｂは、それぞれ、入れ歯の作成工程を示す断面図である。
【図６】図６Ａおよび図６Ｂは、それぞれ、入れ歯の作成工程を示す断面図である。
【図７】図７Ａおよび図７Ｂは、それぞれ、入れ歯の作成工程を示す断面図である。
【図８】図８Ａおよび図８Ｂは、それぞれ、入れ歯の作成工程を示す断面図である。
【図９】図９Ａおよび図９Ｂは、それぞれ、入れ歯の作成工程を示す断面図である。
【図１０】図１０Ａおよび図１０Ｂは、それぞれ、入れ歯の作成工程を示す断面図である。
【図１１】図１１Ａは別の実施例の入れ歯をアバットメントに装着した状態を示す横断面図、図１１Ｂおよび図１１Ｃは、各々、更に別の実施例の係合ピースを示す平面図および断面図、図１１Ｄおよび図１１Ｅは、各々、他の実施例の係合ピースを示す平面図および断面図である。
【図１２】図１２Ａは係合ピースの他の例を示す平面図、図１２Ｂはアバットメントの平面図、図１２Ｃは係合ピースおよびアバットメントを示す一部断面した正面図である。
【図１３】図１３Ａは係合ピースの更に他の例を示す平面図、図１３Ｂはアバットメントの平面図、図１３Ｃは係合ピースおよびアバットメントを示す一部断面した正面図である。
【図１４】図１４Ａは係合ピースの別の例を示す平面図、図１４Ｂはアバットメントの平面図、図１４Ｃは係合ピースおよびアバットメントを示す一部断面した正面図である。
【図１５】図１５Ａはアバットメントのレプリカが突設された雄型の断面図、図１５Ｂは係合ピースおよび筒状部材からなるキットの断面図、図１５Ｃは同係合ピースの側面図、図１５Ｄは同係合ピースの底面図である。
【図１６】図１６Ａおよび図１６Ｂは入れ歯の作成方法の他の例の作成工程を示す断面図である。
【図１７】図１７Ａおよび図１７Ｂは同入れ歯の作成方法の作成工程を示す断面図である。
【図１８】図１８Ａはアバットメントのレプリカが突設された雄型の断面図、図１８Ｂは係合ピースおよび筒状部材からなるキットの断面図、図１８Ｃは同キットの側面図である。
【図１９】図１９Ａおよび図１９Ｂは入れ歯の作成方法の更に他の例の作成工程を示す断面図である。
【発明を実施するための形態】
【００２２】
好ましくは、前記フタ部１３ｃにおける前記アバットメント３のトップ３ｔの外周縁に相当する部位には、前記係合片部１３の内側において前記アバットメント３に向かって突出する、複数のクッション部１６又は円弧状の複数のクッション部１６又は円環状のクッション部１６が一体に形成されている。
【００２３】
かかるクッション部１６はアバットメント３のトップ３ｔの表面から歯合時の反力を受けて弾性変形することで、天然の歯根膜に代わるクッションを入れ歯１に付与するだろう。
この場合、前記クッション部１６が係合ピース１３Ｐに予め形成されており、したがって、技工師の負担は更に小さい。
【００２４】
好ましくは、前記係合ピース１３Ｐを形成する樹脂に対する顔料の割合が０重量％〜０．０７重量％に設定されている。
【００２５】
この場合、顔料の割合が従来よりも小さいので、入れ歯１をアバットメント３に繰り返し脱着するに際し、優れた耐久性を呈するであろう。
【００２６】
好ましくは、前記係合ピース１３Ｐを形成する樹脂に含有される顔料の割合が、前記義歯床１０の本体部１２を形成する樹脂に含有される顔料の割合よりも小さい。
【００２７】
この場合、係合片部１３のナイロンに含まれる顔料の割合が義歯床１０の本体部１２の樹脂に含まれるそれに比べて小さい。したがって、優れた耐久性と良好な風合いが得られるだろう。
【００２８】
好ましい義歯システム用のキットにおいては、前記許容部１５に挿入されて前記義歯床１０の本体部１２の成型時に中子となって、前記外部１３ｒが前記義歯床１０の本体部１２の成型時に前記係合片部１３に向かって変形するのを防止する抑制部材Ｒを更に備える。
【００２９】
この場合、抑制部材Ｒは義歯床１０の成型時に外部１３ｒが係合片部１３に向かって変形するのを抑制する。これにより許容部１５が確保され、係合片部１３がアバットメント３の被係合部に係合でき、入れ歯１をアバットメント３に脱着することができる。
【００３０】
好ましい前記キットにおいては、前記許容部１５に挿入されて中子となる円筒状部を有する抑制部材Ｒを更に備える。
この場合、許容部１５に嵌り込んだ円筒状部が外部１３ｒの変形を抑制する。
【００３１】
好ましい義歯システム用のキットにおいては、前記アバットメント３は口腔組織４に埋め込まれるフィクスチャー２にねじ込まれる雄ネジ部３ｓを備え、
前記アバットメント３は前記トップ３ｔと前記雄ネジ部３ｓとの間において前記係合片部１３が係合する括れた円周状の被係合溝３ｅを定義する。
なお、アバットメント３に突条が形成され、係合片部１３に溝が形成されて、両者が互いに係合してもよい。
【００３２】
好ましい同キットにおいては、前記アバットメント３は口腔組織４に埋め込まれるフィクスチャー２にねじ込まれる雄ネジ部３ｓと、前記雄ネジ部３ｓが挿通される貫通孔３ｈとを備え、
前記係合片部１３の内側において前記アバットメント３に向かって突出するクッション部１６が前記貫通孔３ｈよりも外側において前記トップ３ｔの外周縁に当接する。
この場合、クッション部１６のアバットメント３のトップ３ｔに当接する面積が大きい。
【００３３】
好ましい同キットにおいては、前記トップ３ｔの外周縁が前記トップ３ｔの外端に近づくに従い前記フィクスチャー２に近づく円錐状のテーパ面３ｆを前記アバットメント３が有し、前記テーパ面３ｆにおいて前記クッション部１６が前記アバットメント３に当接する。
【００３４】
この場合、クッション部１６はテーパ面３ｆに当接し、テーパ面３ｆの法線方向に働く反力によってクッション部１６は圧縮変形の他に曲げ変形を呈する。曲げ変形は圧縮変形よりも変形量が超かに大きい。そのため、クッション性が向上する。
【００３５】
本係合ピースを用いて種々の方法で入れ歯を作成し得るが（ＷＯ  ２０１２／１３２０５７  Ａ１参照）、たとえば、以下のように工程を経て生成されるのが好ましい。
【００３６】
すなわち、前記係合ピース１３Ｐが埋設され、かつ、口腔組織４の形状に対応する凹所５００を持つ雌の樹脂型５４を生成する工程と、
前記係合ピース１３Ｐの前記許容部１５に前記抑制部材Ｒを挿入する工程と、
前記抑制部材Ｒの挿入後に、前記雌の樹脂型５４の前記凹所５００に石膏を流し込んで、前記石膏に前記抑制部材Ｒ及び前記係合ピース１３Ｐが一体の雄のセッコウ型５６を生成する工程と、
前記雄のセッコウ型５６のまわりに溶融樹脂を供給して、前記係合ピース１３Ｐに前記義歯床１０の本体部１２が一体となった義歯床１０を生成する工程と、
前記雄のセッコウ型５６および抑制部材Ｒを除去する工程とを備える。
【００３７】
この場合、係合ピース１３Ｐには係合片部１３が予め形成されており、したがって、技工師の作業が容易である。
特に、抑制部材Ｒや筒状部材Ｒ１が許容部１５に挿入されることで、義歯床１０の成型時の圧力で外部１３ｒが変形するのを抑制し得る。
【００３８】
また、別の作成方法において、入れ歯１は、歯肉４０に接する樹脂製の義歯床１０の本体部１２と、前記義歯床１０の本体部１２に支持された人工歯１１と、ナイロン系の熱可塑性樹脂製で前記義歯床１０の一部を形成し前記アバットメント３に前記義歯床１０を係合させるための係合ピース１３Ｐとを備え、前記係合ピース１３Ｐは、
前記アバットメント３のトップ３ｔの全面を覆い、かつ、前記義歯床１０の本体部１２に覆われるフタ部１３ｃと、
前記フタ部１３ｃから上下方向Ｚに延び前記入れ歯１の脱着時に上下方向Ｚの端部１３ａを中心に弾性変形して拡開し着用中に前記アバットメント３に係合し、かつ、互いに周方向に離間した複数の係合片部１３と、前記係合片部１３は前記アバットメント３の外周面に接する第１面３１と、前記第１面３１の反対側の第２面３２とを有し、前記係合片部１３の第１面３１は前記アバットメント３の前記外周面に着脱自在に嵌合するための嵌合孔１４を定義しており、
前記入れ歯を作成する方法は、
前記アバットメント３のレプリカ３Ｒが埋設され、かつ、口腔組織４の形状に対応する凹所５００を持つ雌型５０を生成する工程と、
前記雌型５０の前記凹所５００に石膏を流し込んで、前記レプリカ３Ｒが突設された雄型５１を生成する工程と、
前記係合ピース１３Ｐの前記係合片部１３の外周に前記係合片部１３の弾性変形を許容するための許容部１５を形成するための筒状部材Ｒ１を外嵌した係合ピース１３Ｐを雄型５１の前記レプリカ３Ｒに外嵌する工程と、
前記雄型５１のまわりに溶融樹脂を供給して、前記係合ピース１３Ｐおよび筒状部材Ｒ１に前記義歯床１０の本体部１２が一体となった前記義歯床１０を生成する工程と、
前記雄のセッコウ型５６の石膏および前記筒状部材Ｒ１を除去する工程とを備える。
【００３９】
１つの前記各実施態様または下記の実施例に関連して説明および／または図示した特長は、１つまたはそれ以上の他の実施態様または他の実施例において同一または類似な形で、および／または他の実施態様または実施例の特徴と組み合わせて、または、その代わりに利用することができる。
【００４０】
本発明は、添付の図面を参考にした以下の好適な実施例の説明からより明瞭に理解されるであろう。しかしながら、実施例および図面は単なる図示および説明のためのものであり、本発明の範囲を定めるために利用されるべきではない。本発明の範囲は請求の範囲によってのみ定まる。添付図面において、複数の図面における同一の部品番号は、同一または相当部分を示す。
【実施例】
【００４１】
以下、本発明の実施例が図面にしたがって説明される。
図１Ａ〜図１０Ｂは一つの実施例を示す。【００４２】
図１Ａおよび図１Ｃに示すように、本義歯システムは、入れ歯１、フィクスチャー２および柱状のアバットメント３で構成される。【００４３】
図３に示すように、前記フィクスチャー２はいわゆるインプラント体で、生体材料（代表的な材料は生体となじみのよいチタン）に表面加工などを施した人工の歯根部である。このフィクスチャー２は顎の歯槽骨４１などの口腔組織４内に埋め込まれて骨と生着する。【００４４】
前記アバットメント３は、前記フィクスチャー２に連結され口腔内において露出する。つまり、アバットメント３は図４Ｃの雄ネジ３ｓで図３のフィクスチャー２に固定され、人工の入れ歯１を装着するためにフィクスチャー２に連結される。【００４５】
図１Ａおよび図１Ｃに示すように、前記入れ歯１はアバットメント３に着脱自在に装着される。前記入れ歯１は歯肉４０に接するナイロン製の義歯床１０と、前記義歯床１０と一体となって、当該義歯床１０に支持されたセラミック製人工歯１１とを備える。
前記口腔内には前記フィクスチャー２およびアバットメント３がたとえば複数設けられ、前記複数のフィクスチャー２およびアバットメント３に本システムが適合されている。【００４６】
前記義歯床１０の上下方向Ｚの一方の端には前記人工歯１１が固着されている。前記義歯床１０の上下方向Ｚの他方の端面は歯肉４０に、緩く接触している。【００４７】
図３の拡大断面に示すように、前記義歯床１０はその本体部１２と係合片部１３とが一体に連なっていると共に、前記柱状のアバットメント３に着脱自在に嵌合するための嵌合孔１４を定義している。前記係合片部１３および前記義歯床１０は、たとえばナイロン系の熱可塑性樹脂で形成されている。【００４８】
前記嵌合孔１４は歯肉４０に向かって開口している。つまり、上の入れ歯１においては嵌合孔１４が上方に向かって開口し、一方、下の入れ歯１においては嵌合孔１４が下方に向かって開口している。【００４９】
図３に示すように、前記係合片部１３は前記嵌合孔１４を形成している。すなわち、図４Ａに明示するように、嵌合孔１４は複数の係合片部１３によって定義されている。この嵌合孔１４によって義歯床１０がアバットメント３に対し位置決めされると共に固定される。前記係合片部１３は前記アバットメント３の側面に接すると共に係合する第１面３１と、前記第１面３１の反対側の第２面３２とを有する。【００５０】
入れ歯１が下顎に装着される本実施例においては、図３の前記係合片部１３の上方の端部１３ａが前記義歯床１０に連なり、前記係合片部１３の前記端部１３ａから前記係合片部１３が上下方向Ｚの下方に延びている。
なお、図示していないが、入れ歯１が上顎に装着される場合、前記係合片部１３の下方の端部が前記本体部１２に連なり、前記係合片部１３の前記端部から前記係合片部１３が上下方向Ｚの上方に延びる。【００５１】
本実施例の場合、アバットメント３の括れた被係合溝（被係合要素）３ｅに係合する係合要素（係合凸部）１３ｅが係合片部１３の下端に係合片部１３に一体に形成されている。前記係合要素１３ｅが被係合溝３ｅに係合していることで、入れ歯１がアバットメント３から不用意に外れないようになっている。【００５２】
図４Ｃの係合ピース１３Ｐには前記第１面３１から前記第２面３２に向かう方向Ｘに前記係合片部１３が可動または変形するのを許容する許容部１５が前記第２面３２と第３面３３との間に形成されている。前記許容部１５は前記係合ピース１３Ｐに形成された溝１５からなる。前記第３面３３は前記第２面３２から離間していると共に第２面３２に対面している。【００５３】
図４Ａの前記溝１５は複数のスリット１３ｓを介して前記嵌合孔１４に連なっており、これにより係合片部１３が可動し易くなっている。入れ歯１の脱着時に、前記係合片部１３が溝１５に向かって逃げることにより、アバットメント３に対し、入れ歯１を脱着することができるようになっている。【００５４】
図３の前記嵌合孔１４の上下方向Ｚの奧において、前記係合ピース１３Ｐにはクッション部１６が一体に形成されていてもよい。クッション部１６は例えば複数の小さな突起や突条からなり、歯の歯合時に前記突起や突条が弾性変形することで、天然の歯根膜に代わるクッションを入れ歯１に付与するだろう。【００５５】
ナイロン系の樹脂からなる係合ピース１３Ｐは、劣化しにくく永年の使用により白色化し難いだろう。また、かかる材質の係合ピース１３Ｐは係合片部１３の弾性を失い難いだろう。特に、係合片部１３が劣化して永久変形した場合や弾力が小さくなった場合等には、係合片部１３および嵌合孔１４のまわりの係合ピース１３Ｐを熱風で温めながら係合片部１３を蘇生することができるだろう。【００５６】
この場合、図４Ａの係合片部１３が４つに分割された状態で設けられている。前記４つに分割された係合片部１３は全体が略円筒状でフタ部１３ｃから上下方向Ｚに延びている。なお、係合要素１３ｅは第１面３１と一体の小さな突起で形成されていてもよい。【００５７】
図４Ｃの前記アバットメント３は前記トップ３ｔと前記雄ネジ部３ｓとの間において前記係合片部１３が係合する括れた円周状の被係合溝３ｅを定義する。前記アバットメント３はフィクスチャー２（図１）にねじ込まれる雄ネジ部３ｓと、前記雄ネジ部３ｓが挿通される貫通孔３ｈとを備える。【００５８】
図２は口腔に対するアバットメント３の配置を示す模型の斜視図である。
この図において、奧に配置された一対のアバットメント３０１，３０２は、その軸線３０１ｓ，３０２ｓが互いに平行である。また、前方に配置された一対のアバットメント３０３，３０４は、その軸線３０３ｓ，３０４ｓが互いに平行である。しかし、アバットメント３０１，３０２の軸線３０１ｓ，３０２ｓとアバットメント３０３，３０４の軸線３０３ｓ，３０４ｓとは平行ではなく互いにネジレの関係に配置されている。【００５９】
このような場合に、本義歯システムの係合片部１３は弾性変形して、４本の前記アバットメント３０１〜３０４に嵌合する入れ歯１の実現が可能となる。かかる場合に、複数の係合片部１３を持つ図１の入れ歯１は有用性が高い。【００６０】
なお、図３の前記入れ歯１の脱着の度ごとに前記係合片部１３の係合要素１３ｅがアバットメント３に摺れる。したがって、被係合溝３ｅは滑らかな形状に形成されるのが好ましい。【００６１】
つぎに、本発明の要部である図４Ａおよび図４Ｃのナイロン製の係合ピース１３Ｐについて詳細に説明される。
係合ピース１３Ｐはフタ部１３ｃ、係合片部１３、外部１３ｒおよびクッション部１６が一体に形成されていると共に許容部１５を定義する。【００６２】
前記係合片部１３は、たとえば、３個ないし４個設けられ前記フタ部１３ｃから上下方向Ｚに延び前記入れ歯１の脱着時に上下方向Ｚの端部１３ａを中心に弾性変形して拡開し着用中に前記アバットメント３に係合し、かつ、スリット１３ｓを介して互いに周方向に離間している。【００６３】
前記外部１３ｒは、たとえば、円筒形で前記フタ部１３ｃの周縁から上下方向Ｚに延び前記係合片部１３の第２面３２よりも前記アバットメント３の軸線３Ｌから離れた位置に配置された第３面３３を有する。図３に示すように、前記外部１３ｒは前記義歯床１０の成型後に義歯床１０の本体部１２に結合される。なお、外部１３ｒは義歯床１０の成型時に前記係合片部１３との間で筒状の部材を挟むことで、許容部１５を第２面３２と第３面３３との間に確保する。【００６４】
図４Ｃの前記許容部１５は前記第１面３１から前記第２面３２に向かう方向に前記係合片部１３が弾性変形して拡開するのを許容する。前記許容部１５は前記第２面３２と前記外部１３ｒの前記第３面３３との間で定義される。
なお、外部１３ｒの第４面３４には、外部１３ｒと本体部１２との結合を確実にするための係合凹所１３２や小さな貫通孔が設けられていてもよい。【００６５】
前記フタ部１３ｃは、前記アバットメント３のトップ３ｔの全面を覆い、かつ、前記義歯床１０の本体部１２（図３）に覆われる。前記フタ部１３ｃは前記係合片部１３で定義される前記嵌合孔１４の上下方向Ｚの一端および前記許容部１５の上下方向Ｚの一端を閉塞している。
図３に示すように前記フタ部１３ｃおよび前記外部１３ｒは本体部１２と一体となって義歯床１０の一部を形成する。【００６６】
図４Ｃの前記クッション部１６は前記フタ部１３ｃにおける前記アバットメント３のトップ３ｔの外周縁に相当する部位において、かつ、前記係合片部１３の内側において前記アバットメント３に向かって突出する。クッション部１６は図４Ａの円弧状の複数のクッション部１６や円環状のクッション部１６で形成されていてもよい。【００６７】
すなわち、クッション部１６は前記係合片部１３の内側において図４Ｃの前記アバットメント３に向かって突出し前記貫通孔３ｈよりも外側において前記トップ３ｔの外周縁に当接する。
前記トップ３ｔの外周縁は前記トップ３ｔの外端に近づくに従い前記フィクスチャー２（図１）に近づく円錐状のテーパ面３ｆになっており、前記テーパ面３ｆにおいて前記クッション部１６は前記アバットメント３に当接する。【００６８】
なお、歯合の度にクッション部１６が変形するのに伴い係合ピース１３Ｐがアバットメント３に対し上下に微動できるように、被係合溝３ｅは係合要素１３ｅよりも軸線３Ｌの方向に長く形成されている。【００６９】
前記係合ピース１３Ｐを形成する樹脂に対する顔料の割合は０重量％〜０．０７重量％に設定されている。したがって、前記係合ピース１３Ｐを形成する樹脂に含有される顔料の割合は、前記義歯床１０の本体部１２を形成する樹脂に含有される顔料の割合（０．１０重量％〜０．２０重量％）よりも小さい。【００７０】
つぎに、入れ歯１（図３）の作成方法について説明する。
図５Ａ〜図１０Ｂは同作成方法の一例を示す。【００７１】
まず、図５Ａに示すように、歯科医師は前記フィクスチャー２が埋め込まれた状態で、かつ、アバットメント３がフィクスチャー２に連結された状態の口腔の雌型５０をトレー２１Ａおよび柔軟な印象材２３（シリコーン樹脂（シリコーンラバーを含む））を用いて周知の方法に従って作成する。前記印象材２３が固まるとトレー２１Ａおよび印象材２３を口腔から撤去することで、雌型５０が得られる。この後の工程は歯科医師ではなく歯科技工師が行う。【００７２】
図５Ｂに示すように、前記雌型５０には、アバットメント３に代えて前記アバットメント３のレプリカ３Ｒが装着される。【００７３】
図６Ａに示すように、技工師は、前記印象材２３の雄型５１を取るために、セッコウを印象材２３の凹所に流し込む。こうして、前記雌型５０から前記アバットメント３のレプリカ３Ｒが突設され前記口腔の形状を持つ雄型５１が生成される。その後、図６Ｂのように、雄型５１のレプリカ３Ｒに前記顔料を有していないナイロン製の係合ピース１３Ｐが装着される。【００７４】
ここで、前記係合ピース１３Ｐの下端と前記雄型５１の表面との間には、成形品においてアンダーカットとなる隙間Ｓが生じるが、図７Ａに示すように、隙間Ｓを充填剤５３で埋めて前記雄型５１の形状を補正する。なお、前記充填剤５３としてはワックスなどを用いることができる。【００７５】
その後、図７Ｂに示すように、前記雄型５１を自硬性樹脂（シリコーン樹脂のような印象材）で包んだ後に、雌の樹脂型５４からレプリカ３Ｒ、充填剤５３およびセッコウ５１ａが除去される。こうして、図８Ａに示すように、前記係合ピース１３Ｐが埋設され、かつ、口腔組織４の形状に対応する凹所５００を持つ雌の樹脂型５４が生成される。【００７６】
その後、図８Ｂの前記雌の樹脂型５４の前記係合ピース１３Ｐの前記許容部１５に金属製のパイプからなる抑制部材Ｒが挿入される。この抑制部材Ｒは前記許容部１５に挿入されて前記義歯床１０の本体部１２の成型時に中子となって、前記外部１３ｒが前記義歯床１０の本体部１２の成型時に前記係合片部１３に向かって変形するのが防止される。【００７７】
前記抑制部材Ｒの挿入後に、図９Ａのように、雌の樹脂型５４の前記凹所５００に石膏を流し込む。前記石膏に前記抑制部材Ｒが埋設され、かつ、前記係合ピース１３Ｐが一体の雄のセッコウ型５６が生成される。【００７８】
前記雄のセッコウ型５６と図示しない周知の入れ歯１の雌型の間に０．１０〜０．２０重量％の顔料を含んだナイロンからなる溶融樹脂が射出されて、図１０Ａの前記樹脂製の義歯床１０の本体部１２が成型されると共に、前記係合ピース１３Ｐに前記義歯床１０の本体部１２が一体となった義歯床１０が生成される。本体部１２の硬化後、前記雄のセッコウ型５６の石膏および抑制部材Ｒが除去される。【００７９】
こうして、図１０Ｂの許容部１５を有する入れ歯１が作成される。
したがって、歯科医師や患者の負担が軽減されるだけでなく、技工師による許容部１５を形成する作業が著しく簡便になる。【００８０】
本実施例において、前記抑制部材Ｒは金属製のパイプに代えて、許容部１５に挿入される円筒状部を有するコップ状の樹脂やゴムのピースであってもよい。【００８１】
図１１Ａは別の実施例を示す。
図１１Ａに示すように、この実施例においては、前記義歯床１０の本体部１２は例えばポリカーボネート、アクリル樹脂、ポリエステルなどの係合ピース１３Ｐとは異なる種類の樹脂で形成されている。前記義歯床１０の本体部１２と係合ピース１３Ｐとの間には２液性の即時重合レジンの結合層１９が介挿されて、義歯床１０と係合ピース１３Ｐとが継がれて互いに一体に連なって形成されている。【００８２】
図１１Ａにおいて、前記係合ピース１３Ｐは、略有底円筒状つまりカップ状に形成されフタ部１３ｃおよび外部１３ｒの内側に複数（たとえば４つ）のスリット１３ｓおよび係合片部１３を有する。フタ部１３ｃは前記複数の係合片部１３を互いに連結する。なお、各係合片部１３は、各々、係合要素１３ｅを有する。【００８３】
前記フタ部１３ｃはアバットメント３の頂部（トップ）３ｔを覆う。このフタ部１３ｃとこれに対面する義歯床１０の本体部１２の部位にはアンカー用の溝１３ｇ，１０ｇが形成されている。前記フタ部１３ｃおよび義歯床１０の本体部１２との間の空間および前記アンカー用の溝１３ｇ，１０ｇには前記結合層１９を形成する即時重合レジンが充填されている。
なお、義歯床１０の本体部１２のアンカー用の溝１３ｇは収容凹所１０ｃの内表面に形成されている。【００８４】
前記義歯床１０には前記レジンを流し込むための湯口となる深孔１０ｈが形成されており、この深孔１０ｈにも前記レジンが充填されている。なお、深孔１０ｈは義歯床１０の外表面と前記収容凹所１０ｃの奥側とを連通させる。【００８５】
前記義歯床１０の本体部１２には前記係合ピース１３Ｐが収容される円柱状の収容凹所１０ｃが形成されている。
なお、図４Ａのように、スリット１３ｓは第１面３１から第２面３２まで、係合ピース１３Ｐを径方向（放射方向）に貫通している。【００８６】
この実施例の入れ歯１の作成方法については、ＷＯ  ２０１２／１３２８１９  Ａ１の段落００８７〜００９８および図２１Ａ〜図２７Ｃに開示されており、ここにその記述の全てが組み込まれる。【００８７】
図１１Ｂおよび図１１Ｃは別の実施例を示す。
図１１Ｂにおいて本実施例の外部１３ｒは円筒形状ではなく凹んだ円筒面の一部からなる第３面３３を有し複数に分割されている。一方、係合片部１３は前記外部１３ｒに対面しておらず、係合片部１３と外部１３ｒとが周方向に交互に配置されている。この場合も、円筒状の抑制部材Ｒ１は外部１３ｒと係合片部１３との間に挟まれて、支持でき、したがって、前記係合片部１３が変形する許容部１５（図３）を形成することができる。
なお、外部１３ｒはフタ部１３ｃに一体に形成された複数本の丸棒状のピンで形成されてもよい。この場合、ピンの表面の一部が第３面３３を形成する。【００８８】
図１１Ｄおよび図１１Ｅは更に別の実施例を示す。
図１１Ｄの実施例においては外部１３ｒを有していない。本実施例の場合、図１１Ｅに示す複数の係合片部１３の第２面３２がフタ部１３ｃから先端に向かって若干末広がりに形成されている。また、係合片部１３の先端部は、逆に先端に向かって若干末窄まりのテーパが設けられている。そのため、係合片部１３の第２面３２の外周に円筒形の抑制部材（円筒部材）Ｒ１を外嵌すると、係合片部１３の樹脂弾性により係合片部１３のまわりに抑制部材Ｒ１を保持することができる。【００８９】
抑制部材Ｒ１を軸線３Ｌ方向に位置決めするために、前記フタ部１３ｃには係合片部１３の第２面３２よりも外側へ突出する鍔部１３９が設けられるのが好ましい。
なお、図１１Ｂ〜図１１Ｅの実施例の場合、金属製の抑制部材Ｒ１の外表面に離型剤が塗布されれば、入れ歯１の作成時に抑制部材Ｒ１が義歯床１０の本体部１２から容易に除去されるだろう。【００９０】
ところで、図１１Ｂ〜図１１Ｅの実施例の場合、前記図７Ｂの工程において、印象材２３が係合片部１３に接し許容部１５が形成されない。したがって、以下に説明する工程で入れ歯１を作成する。【００９１】
この場合、図５Ａ〜図６Ｂの工程の後に、前記図７Ａの工程において円管からなる抑制部材Ｒ１が係合片部１３のまわりに外嵌される。これにより、許容部１５が確保される。【００９２】
すなわち、これらの実施例においては、図５Ａ〜図６Ｂの工程の後に、図７Ａの工程において前記係合ピース１３Ｐの前記係合片部１３の外周に前記係合片部１３の弾性変形を許容するための許容部１５を形成するための筒状部材Ｒ１が外嵌される。その後、図７Ａ〜図８Ｂと同様の工程を経て、前記係合ピース１３Ｐおよび前記筒状部材Ｒ１が埋設され、かつ、口腔組織４の形状に対応する凹所５００を持つ雌の樹脂型５４が生成される。【００９３】
その後、図９Ａおよび図９Ｂの工程と同様にして、前記雌の樹脂型５４の前記凹所５００に石膏を流し込んで、前記石膏に前記筒状部材Ｒ１及び前記係合ピース１３Ｐが一体の雄のセッコウ型５６を生成される。その後、図１０Ａの工程と同様に、前記雄のセッコウ型５６のまわりに顔料を含んだ溶融樹脂を射出して、前記係合ピース１３Ｐに前記義歯床１０の本体部１２が一体となった前記義歯床１０が生成される。この生成後、図１０Ｂの工程と同様にして前記雄のセッコウ型５６の石膏および前記筒状部材Ｒ１が除去されて、入れ歯１が作成される。【００９４】
図１２Ａ〜図１４Ｃは更に別の実施例を示す。
これらの実施例の係合ピース１３Ｐにおいて、前記外部１３ｒは前記義歯床１０の本体部１２の成型時に前記係合片部１３に向かって変形するのを防止することで、前記許容部１５が前記義歯床１０の本体部１２（図３）の成型時の圧力により潰れるのを抑制する少なくとも１つの抑制部を更に備える。【００９５】
図１２Ａ〜図１２Ｃの実施例では、前記抑制部は前記外部１３ｒが前記係合片部１３に向かって倒れるのを抑制するリヴ１３１で形成されている。前記リヴ１３１は各前記スリット１３ｓにおいてフタ部１３ｃと外部１３ｒとのコーナに配置されている。【００９６】
図１３Ａおよび図１４Ａの係合ピース１３Ｐは前記外部１３ｒの第３面３３の平面断面の形状が円形状で、かつ、前記外部１３ｒにおける前記第３面３３の反対側の第４面３４の平面断面の形状が四角形状又は六角形状で、前記四角形状又は六角形状の各コーナ３４ｃが前記抑制部を形成する。
なお、図１４Ａにおいて、クッション部１６は複数のピンが円周上に配置されている。【００９７】
図１５Ａ−図１７Ｂは更に別の実施例を示す。
図１５Ｂは係合ピース１３Ｐと筒状部材Ｒ１を示す。前記筒状部材Ｒ１は係合片部１３の周囲を覆い許容部となるための基部１０１と、前記基部１０１から筒状部材Ｒ１の軸線方向に突出するスカート部１０２とを備える。この例の係合ピース１３Ｐは図１１Ｄおよび図１１Ｅの係合ピース１３Ｐと近似した構造を有する。図１５Ｃ−図１５Ｄの係合ピース１３Ｐが図１１Ｄ−図１１Ｅのそれと異なる点は、係合片部１３の上部同士が円筒状に連なる連続部１３Ｐ１を有していることである。なお、筒状部材Ｒ１は成型時の熱で溶けず、かつ、成型時の圧力で押し潰されない強度を持つ。【００９８】
本例の場合、以下に説明する工程で入れ歯１を作成する。
前述と同様に図５Ａ、図５Ｂおよび図６Ａの工程を経て、図１５Ａに示すセッコウ部分からレプリカ３Ｒが突出する雄型５１を得る。なお、レプリカ３Ｒの露出部分は図３のアバットメント３と同じ形状を有する。【００９９】
一方、係合ピース１３Ｐの係合片部１３のまわりに筒状部材Ｒ１を外嵌挿入する。この際、係合片部１３の樹脂弾性により、筒状部材Ｒ１が係合片部１３に保持された状態が維持される。【０１００】
ついで、前記図１５Ａの雄型５１に前記図１５Ｂの筒状部材Ｒ１が外嵌された係合ピース１３Ｐを、図１６Ａに示すように、レプリカ３Ｒに装着する。これにより、レプリカ３Ｒの溝３ｅに係合ピース１３Ｐの係合要素１３ｅが係合する。
なお、筒状部材Ｒ１の高さは、スカート部１０２の下端が雄型５１のセッコウ部分に近接する程度に設定されている。【０１０１】
前記外嵌後、図１６Ｂに示すように、スカート部１０２の下端がセッコウ部分に当接するように、筒状部材Ｒ１をレプリカ３Ｒの軸線方向に移動させる。なお、スカート部１０２とセッコウ部分との間に僅かな（微細な）隙間が生じるが、その隙間は図示しないセッコウで埋める。【０１０２】
前記雄型５１と図示しない周知の入れ歯１の雌型の間に０．１０〜０．２０重量％の顔料を含んだナイロンからなる溶融樹脂が射出されて、図１７Ａの前記樹脂製の義歯床１０の本体部１２が成型されると共に、前記係合ピース１３Ｐに前記義歯床１０の本体部１２が一体となった義歯床１０が生成される。本体部１２の硬化後、前記雄型５１の石膏および筒状部材Ｒ１が除去される。
こうして、図１７Ｂの許容部１５を有する入れ歯１が作成される。【０１０３】
図１８Ａ−図１９Ｂは更に他の実施例を示す。
図１８Ｂは係合ピース１３Ｐと筒状部材Ｒ１とを示す。この例において、筒状部材Ｒ１の基部１０１に対しスカート部１０２は上下に摺動可能になっている。また、スカート部１０２のセッコウ部分と接する端部は、多くの患者の口腔の形状に沿い易いように波形状に形成されていてもよい。【０１０４】
本例の場合、筒状部材Ｒ１は銅管や鋼管などの金属管で形成されていてもよい。なお、本例の場合、図１５Ｃの連続部１３Ｐ１は設けられていない。その他の構造は図１５Ｂ−図１５Ｄの例と同様である。【０１０５】
本例の場合、以下に説明する工程で入れ歯１を作成する。
前述と同様に図５Ａ、図５Ｂおよび図６Ａの工程を経て、図１８Ａに示すセッコウ部分５１ａからレプリカ３Ｒが突出する雄型５１を得る。【０１０６】
一方、係合ピース１３Ｐの係合片部１３のまわりに筒状部材Ｒ１を外嵌挿入する。この際、係合片部１３の樹脂弾性により、筒状部材Ｒ１が係合片部１３に保持された状態が維持される。【０１０７】
ついで、前記図１８Ａの雄型５１に前記図１８Ｂの筒状部材Ｒ１が外嵌された状態で係合ピース１３Ｐを、図１９Ａに示すように、レプリカ３Ｒに装着する。これにより、レプリカ３Ｒの溝３ｅに係合ピース１３Ｐの係合要素１３ｅが係合する。【０１０８】
この際、スカート部１０２は基部１０１に対し、レプリカ３Ｒの軸線方向に摺動し、スカート部１０２の先端が雄型５１のセッコウ部分５１ａに接する。その後、スカート部１０２とセッコウ部分５１ａに生じる隙間は図示しないセッコウで埋める。
なお、基部１０１とスカート部１０２とが粘着剤や接着剤で互いに固定されてもよい。【０１０９】
前記雄型５１と図示しない周知の入れ歯１の雌型の間に０．１０〜０．２０重量％の顔料を含んだナイロンからなる溶融樹脂が射出されて、図１９Ｂの前記樹脂製の義歯床１０の本体部１２が成型されると共に、前記係合ピース１３Ｐに前記義歯床１０の本体部１２が一体となった義歯床１０が生成される。本体部１２の硬化後、前記雄型５１のセッコウ部分５１ａおよび筒状部材Ｒ１が除去される。【０１１０】
こうして、図１９Ｂの許容部１５を有する入れ歯１が作成される。
これら図１５Ａ−図１９Ｂの例においては工程数が著しく少なくなり、技工師による許容部１５を形成する作業が更に簡便になる。【０１１１】
なお、図１８Ａ−図１９Ｂの例においても、図４Ａ−４Ｃまたは図１１Ｄ−図１１Ｅの係合ピース１３Ｐが採用されてもよい。【０１１２】
また、義歯床１０の本体部１２を形成する樹脂は熱可塑性樹脂に限られず、例えば、歯科の周知の義歯商用材を用いることができ、例えば２液性の即時重合レジンであってもよい。かかる材料としては、アクリリックレジン、ポリカーボネート又はポリエステルなどの樹脂を採用してもよい。かかる樹脂を採用する場合、入れ歯は着用者の口腔内で作成することができる。【０１１３】
以上のとおり、図面を参照しながら好適な実施例を説明したが、当業者であれば本明細書を見て、自明な範囲で種々の変更および修正を容易に想定するであろう。
たとえば、クッション部は設けられていなくてもよい。
また、入れ歯１は部分入れ歯であってもよい。
係合片部１３に係合要素１３ｅとしての凹所が形成され、アバットメント３に被係合溝３ｅとしての突条が形成されていてもよい。
したがって、以上のような変更および修正は、請求の範囲から定まる本発明の範囲内のものと解釈される。
【産業上の利用可能性】
【０１１４】
本発明は、歯科治療に適用することができる。
【符号の説明】
【０１１５】
１：入れ歯、１０：義歯床、１１：人工歯、１２：本体部
１３：係合片部、１３ａ：端部、１３ｃ：フタ部、１３Ｐ：係合ピース、１３ｒ：外部、１３１：リヴ
１４：嵌合孔、１５：許容部（溝）、１６：クッション部
２：フィクスチャー
３：アバットメント、３Ｌ：軸線、３ｅ：被係合溝、３ｆ：テーパ面  ３ｈ：貫通孔
３ｓ：雄ネジ部、  ３ｔ：頂部（トップ）
３１：第１面、３２：第２面、３３：第３面、３４：第４面、３４ｃ：コーナ
４：口腔組織、４０：歯肉
５４：樹脂型、５６：セッコウ型、５００：凹所
Ｒ：抑制部材、Ｒ１：筒状部材、１０１：基部、１０２：スカート部、Ｚ：上下方向
【図１】
0005872743.tif 000002
【図２】
0005872743.tif 000003
【図３】
0005872743.tif 000004
【図４】
0005872743.tif 000005
【図５】
0005872743.tif 000006
【図６】
0005872743.tif 000007
【図７】
0005872743.tif 000008
【図８】
0005872743.tif 000009
【図９】
0005872743.tif 000010
【図１０】
0005872743.tif 000011
【図１１】
0005872743.tif 000012
【図１２】
0005872743.tif 000013
【図１３】
0005872743.tif 000014
【図１４】
0005872743.tif 000015
【図１５】
0005872743.tif 000016
【図１６】
0005872743.tif 000017
【図１７】
0005872743.tif 000018
【図１８】
0005872743.tif 000019
【図１９】
0005872743.tif 000020